(57)【要約】【課題】特に寸法が異なる刃部材を交換することができるネジタップを提供する。【解決手段】本発明の刃を交換可能なネジタップは、一端に延設される第一挟持部及び第二挟持部と、該第一挟持部と第二挟持部との間に形成される収容部と、該第一挟持部と第二挟持部との間に設けられると共に、谷型構造を呈する嵌め部を備える、クリップ本体と、前記クリップ本体の収容部に設置され、両側縁にそれぞれ設けられる刃部と、一端に設けられる接合部とを備え、そのうち、該接合部は、クリップ本体の嵌め部に嵌め込まれると共に、尖端構造を備え、該接合部の尖端構造が嵌め部の角形構造に対応するように組み合わされる、刃部材と、前記第一挟持部１１と第二挟持部と刃部材に貫設される固定部材とを有するものを提供する。【選択図】図１
2016532569.tif 000002
【特許請求の範囲】
【請求項１】
一端に延設される第一挟持部及び第二挟持部と、該第一挟持部と第二挟持部との間に形成される収容部と、該第一挟持部と第二挟持部との間に設けられると共に、谷型構造を呈する嵌め部を備える、クリップ本体と、
前記クリップ本体の収容部に設置され、両側縁にそれぞれ設けられる刃部と、一端に設けられる接合部とを備え、そのうち、該接合部は、クリップ本体の嵌め部に嵌め込まれると共に、尖端構造を備え、該接合部の尖端構造が嵌め部の角形構造に対応するように組み合わされる、刃部材と、
前記第一挟持部と第二挟持部と刃部材に貫設される固定部材とを有することを特徴とする、
刃を交換可能なネジタップ。
【請求項２】
前記刃部材の刃部は、複数の切削歯及び少なくとも１つの研磨歯を備え、それらの切削歯及び研磨歯がそれぞれ刃部材の両側縁に設けられ、そのうちの切削歯が刃部材の一端近傍に設けられると共に、研磨歯が刃部材の他端近傍に設けられ、該刃部材の幅が切削歯から研磨歯へいくにつれて広くなることを特徴とする請求項１に記載の刃を交換可能なネジタップ。
【請求項３】
前記刃部材の接合部は、刃部材の一端に凸部が凸設され、該凸部の両側に傾斜面が設けられると共に、中央部分に尖端構造が設けられ、前記クリップ本体の嵌め部は、延出部及び凹部を備え、該延出部は、第一挟持部と第二挟持部との間かつ収容部の末端に設けられ、該凹部は、延出部の端面に凹設され、該凹部の両側にそれぞれ傾斜面が設けられると共に、中央部分に谷型構造が形成され、前記刃部材の凸部がクリップ本体の凹部に嵌め込まれることを特徴とする請求項１に記載の刃を交換可能なネジタップ。
【請求項４】
前記刃部材の接合部は、刃部材の一端に凸部が凸設され、該凸部の両側に傾斜面が設けられることにより山型構造が設けられ、前記クリップ本体の嵌め部は、延出部及び凹部を備え、そのうち、延出部が第一挟持部と第二挟持部との間、且つ収容部の末端に設けられ、該凹部が延出部の端面に凹設され、該凹部の両側にそれぞれ傾斜面が設けられることにより谷型構造が形成され、前記刃部材の凸部がクリップ本体の凹部に嵌め込まれることを特徴とする請求項２に記載の刃を交換可能なネジタップ。
【請求項５】
前記クリップ本体の嵌め部は、延出部及び凸部を備え、そのうち、凸部は延出部の端面に凸設されると共に、該凸部の両側にそれぞれ傾斜面が設けられることにより山型構造が形成され、前記刃部材の一端に凹部が凹設されると共に、該凹部の両側に傾斜面が設けられることにより、谷型構造が設けられ、前記刃部材の凹部がクリップ本体の凸部に嵌め込まれることを特徴とする請求項１に記載の刃を交換可能なネジタップ。
【請求項６】
前記クリップ本体の嵌め部は、延出部及び凸部を備え、そのうち凸部は、延出部の端面に凸設されると共に、該凸部の両側にそれぞれ傾斜面が設けられることにより山型構造が形成され、前記刃部材の一端に凹部が凹設されると共に、該凹部の両側に傾斜面が設けられることにより谷型構造が設けられ、前記刃部材の凹部がクリップ本体の凸部に嵌め込まれることを特徴とする請求項２に記載の刃を交換可能なネジタップ。
【請求項７】
前記クリップ本体における、第一挟持部と延出部との間にスリットが形成され、延出部の端面に凹部が形成されることを特徴とする請求項３乃至６の何れか１項に記載の刃を交換可能なネジタップ。
【請求項８】
前記第一挟持部に貫通穴が形成され、前記第二挟持部における、貫通穴と対応する箇所にネジ穴が形成され、前記刃部材に組立穴が貫穿され、前記固定部材はボルトであり、第一挟持部の貫通穴から刃部材の組立穴、第二挟持部のネジ穴の順で貫設されることを特徴とする請求項１乃至６の何れか１項に記載の刃を交換可能なネジタップ。
【請求項９】
前記クリップ本体が鋼材からなることを特徴とする請求項１乃至６の何れか１項に記載の刃を交換可能なネジタップ。
【請求項１０】
前記クリップ本体が鋼材からなることを特徴とする請求項７に記載の刃を交換可能なネジタップ。
【発明の詳細な説明】
【技術分野】
【０００１】
本発明は、特に寸法が異なる刃部材を交換することができるネジタップに関するものである。
【背景技術】
【０００２】
ネジタップは、金属加工において、穴の内側にねじ山を刻むために用いられる工具である。既存のネジタップは、一体形成の本体を有し、該本体に複数のねじ切り歯が設けられ、それらのねじ切り歯を用いて穴にめねじを刻むものである。
【発明の概要】
【発明が解決しようとする課題】
【０００３】
しかしながら、既存のネジタップは、寸法が同一の穴に使う場合に、ねじ切り歯が縦方向または斜方向に設置する２種類を備えると共に、国によって隣り合うねじ切り歯との間隔距離をメートル法やヤードポンド法により表すことから、ねじ切りの作業を行う場合、仕様が異なる多くのネジタップを用意しなければならないので、作業コストが高くつく。
【０００４】
また、ネジタップは通常、鋼材などの高硬度プレートにめねじを刻む過程において、ねじ切り歯が破損すると、ネジタップを使用できず、廃棄するしかないことから、工具が無駄となるので、その分コストがかかってしまう。
【課題を解決するための手段】
【０００５】
本発明に係る刃を交換可能なネジタップは、一端に延設される第一挟持部及び第二挟持部と、該第一挟持部と第二挟持部との間に形成される収容部と、該第一挟持部と第二挟持部との間に設けられると共に、谷型構造を呈する嵌め部を備える、クリップ本体と、前記クリップ本体の収容部に設置され、両側縁にそれぞれ設けられる刃部と、一端に設けられる接合部とを備え、そのうち、該接合部は、クリップ本体の嵌め部に嵌め込まれると共に、尖端構造を備え、該接合部の尖端構造が嵌め部の角形構造に対応するように組み合わされる、刃部材と、前記第一挟持部と第二挟持部と刃部材に貫設される固定部材とを有するものである。
【０００６】
かかる刃を交換可能なネジタップにおいて、前記刃部材の刃部は、複数の切削歯及び少なくとも１つの研磨歯を備え、それらの切削歯及び研磨歯がそれぞれ刃部材の両側縁に設けられ、そのうちの切削歯が刃部材の一端近傍に設けられると共に、研磨歯が刃部材の他端近傍に設けられ、該刃部材の幅が切削歯から研磨歯へいくにつれて広くなることが好ましい。
【０００７】
かかる刃を交換可能なネジタップにおいて、前記刃部材の接合部は、刃部材の一端に凸部が凸設され、該凸部の両側に傾斜面が設けられると共に、中央部分に尖端構造が設けられ、前記クリップ本体の嵌め部は、延出部及び凹部を備え、該延出部は、第一挟持部と第二挟持部との間かつ収容部の末端に設けられ、該凹部は、延出部の端面に凹設され、該凹部の両側にそれぞれ傾斜面が設けられると共に、中央部分に谷型構造が形成され、前記刃部材の凸部がクリップ本体の凹部に嵌め込まれることが好ましい。
【０００８】
かかる刃を交換可能なネジタップにおいて、前記刃部材の接合部は、刃部材の一端に凸部が凸設され、該凸部の両側に傾斜面が設けられることにより山型構造が設けられ、前記クリップ本体の嵌め部は、延出部及び凹部を備え、そのうち、延出部が第一挟持部と第二挟持部との間、且つ収容部の末端に設けられ、該凹部が延出部の端面に凹設され、該凹部の両側にそれぞれ傾斜面が設けられることにより谷型構造が形成され、前記刃部材の凸部がクリップ本体の凹部に嵌め込まれることが好ましい。
【０００９】
かかる刃を交換可能なネジタップにおいて、前記クリップ本体の嵌め部は、延出部及び凸部を備え、そのうち、凸部は延出部の端面に凸設されると共に、該凸部の両側にそれぞれ傾斜面が設けられることにより山型構造が形成され、前記刃部材の一端に凹部が凹設されると共に、該凹部の両側に傾斜面が設けられることにより、谷型構造が設けられ、前記刃部材の凹部がクリップ本体の凸部に嵌め込まれることが好ましい。
【００１０】
かかる刃を交換可能なネジタップにおいて、前記クリップ本体における、第一挟持部と延出部との間にスリットが形成され、延出部の端面に凹部が形成されることが好ましい。
【００１１】
かかる刃を交換可能なネジタップにおいて、前記第一挟持部に貫通穴が形成され、前記第二挟持部における、貫通穴と対応する箇所にネジ穴が形成され、前記刃部材に組立穴が貫穿され、前記固定部材はボルトであり、第一挟持部の貫通穴から刃部材の組立穴、第二挟持部のネジ穴の順で貫設されることが好ましい。
【００１２】
かかる刃を交換可能なネジタップにおいて、前記クリップ本体が鋼材からなることが好ましい。
【発明の効果】
【００１３】
本発明に係る刃を交換可能なネジタップは、前記の構成を有することから、刃部材をクリップ本体に組み合わせる時、刃部材の接合部の山型構造をクリップ本体の嵌め部の谷型構造に嵌め込むことにより、刃部材をクリップ本体に精確に位置決めることででき、また、寸法が異なる穴にねじ切り作業を行う場合、適当な刃部材に交換して行えばよい。つまり、クリップ本体に、寸法が異なる様々な刃部材を装設することができるので、適応性に優れている。さらに、その刃部材の刃部が破損した場合には、ネジタップを捨てるのではなく、刃部材のみ交換すればよいので、利便性が高いと共に、コストも節約することができる。
【図面の簡単な説明】
【００１４】
【図１】本発明に係る刃を交換可能なネジタップの斜視図である。
【図２】本発明に係る刃を交換可能なネジタップの分解斜視図である。
【図３】本発明に係る刃を交換可能なネジタップの断面図である。
【図４】本発明に係る刃を交換可能なネジタップの実施例の分解正面図である。
【図５】本発明に係る刃を交換可能なネジタップの他の実施例の分解正面図である。
【発明を実施するための形態】
【００１５】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１６】
本発明に係る刃を交換可能なネジタップは、図１に示すように、クリップ本体１０と、刃部材２０と、固定部材３０を有する。
【００１７】
図２及び図３に示すように、前記クリップ本体１０は、鋼材からなり、第一挟持部１１と、第二挟持部１２と、収容部１３と、嵌め部を備え、該第一挟持部１１及び第二挟持部１２はそれぞれ、クリップ本体１０の一端における相対する両側に延設され、該第一挟持部１１に貫通穴１１１が形成され、該第二挟持部１２における、貫通穴１１１と対応する箇所にネジ穴１２１が形成され、該収容部１３は、第一挟持部１１と第二挟持部１２との間に形成され、該嵌め部は、第一挟持部１１と第二挟持部１２との間に設けられると共に、谷型構造を呈する。
【００１８】
本実施例における嵌め部は、延出部１４及び凹部１５を備え、該延出部１４は、第一挟持部１１と第二挟持部１２との間かつ収容部１３の末端に設けられ、該凹部１５は、延出部１４の端面に凹設され（図４の如く）、該凹部１５の両側にそれぞれ傾斜面が設けられると共に、中央部分に谷型構造が形成される。尚、前記クリップ本体１０の第一挟持部１１と延出部１４との間にスリット１６が形成されることが好ましい。
【００１９】
図５に示すように、他の実施例では、そのクリップ本体１０Ａの嵌め部が延出部１４Ａ及び凸部１５Ａを備え、該凸部１５Ａが延出部１４Ａの端面に凸設され、該凸部１５Ａの両側にそれぞれ傾斜面が設けられると共に、中央部分に山型構造が形成される。
【００２０】
図２及び図４に示すように、前記刃部材２０は、刃部及び接合部を備えるものであり、着脱可能にクリップ本体１０の収容部１３に挟設され、そのうち、接合部は、クリップ本体１０の嵌め部に嵌め込まれ、該クリップ本体１０の嵌め部の谷型構造に組み合わされる山型構造を備える。また、前記刃部材２０における両側の壁面は、クリップ本体１０の第一挟持部１１及び第二挟持部１２に当接し、該刃部材２０の両側縁に、複数の切削歯２１及び少なくとも１つの研磨歯２２からなる刃部が設けられ、そのうちの切削歯２１は刃部材２０の一端近傍に設けられると共に、研磨歯２２は刃部材２０の他端近傍に設けられ、該刃部材２０の幅は、切削歯２１から研磨歯２２へいくにつれて広くなる。
【００２１】
さらに、前記刃部材２０に貫通状の組立穴２３が形成され、また、前記刃部材２０の接合部の研磨歯２２と接近する端に凸部２４が設けられ、該凸部２４の両側に傾斜面が設けられると共に、中央部分に山型構造が設けられ、該凸部２４がクリップ本体１０の凹部１５に嵌め込まれることによって、刃部材２０がクリップ本体１０にぴったりと位置決めされる。
また、図５に示すように、他の実施例においては、前記刃部材２０Ａの接合部の研磨歯２２と接近する端に凹部２４Ａが形成され、該凹部２４Ａの両側に傾斜面が設けられると共に、中央部分に谷型構造が形成され、該凹部２４Ａがクリップ本体１０Ａの凸部１５Ａに嵌め込まれることによって、刃部材２０Ａがクリップ本体１０Ａにぴったりと位置決めされる。
【００２２】
図２及び図３に示すように、前記固定部材３０は、クリップ本体１０及び刃部材２０を組み合わせてから貫設される。尚、本実施例における固定部材３０はボルトであり、組立過程においては、該固定部材３０を第一挟持部１１の貫通穴１１１から挿入し、刃部材２０の組立穴２３、第二挟持部１２のネジ穴１２１の順で貫設する。
【００２３】
本発明に係る刃を交換可能なネジタップを使用する時は、クリップ本体１０に規格が異なる刃部材２０を組み合わせることもできるので、加工の用途が広がる。また、その刃部材２０の刃部が破損した場合には、ネジタップを廃棄する必要はなく、単に刃部材２０を交換するだけでよい。また、その刃部材２０は、鋼材からの金属の弾性を備えると共に、スリット１６を介して第一挟持部１１が金属の弾性により変形可能であることから、刃部材２０の着脱が容易になる。さらに、本発明に係る刃を交換可能なネジタップは、凹部１５及び凸部２４を有するので、クリップ本体１０と刃部材２０を精確に組み合わせることができる。
【符号の説明】
【００２４】
１０、１０Ａ  クリップ本体
１１  第一挟持部
１１１  貫通穴
１２  第二挟持部
１２１  ネジ穴
１３  収容部
１４、１４Ａ  延出部
１５  凹部
１５Ａ  凸部
１６  スリット
２０、２０Ａ  刃部材
２１  切削歯
２２  研磨歯
２３  組立穴
２４、２４Ａ  凸部
３０  固定部材
【図１】
2016532569.tif 000003
【図２】
2016532569.tif 000004
【図３】
2016532569.tif 000005
【図４】
2016532569.tif 000006
【図５】
2016532569.tif 000007
【国際調査報告】
2016532569.tif 000008
2016532569.tif 000009
2016532569.tif 000010
2016532569.tif 000011